(57)【特許請求の範囲】
【請求項１】
釣り用リールの取付脚を釣り竿に装着するためのリールシートであって、
前記取付脚の一端側を係止するための第１係止部を有し、外周部に雄ネジ部が形成されたシート本体と、
前記シート本体の外周に軸方向移動自在にかつ相対回転不能に配置されるとともに前記取付脚の他端側を係止するための第２係止部を有する移動シート部と、
前記シート本体の外周に前記移動シート部とともに軸方向移動可能でかつ前記シート本体に対して相対回転可能であり、前記雄ネジ部に螺合する雌ネジ部が形成されたナット部と、
前記ナット部の内周側に配置された発音機構とを備え、
前記発音機構は、
前記ナット部の内周側に、前記ナット部に対して相対回転可能にかつシート本体に対して相対回転不能に配置された環状部材と、
前記ナット部の内周部及び前記環状部材の外周部のいずれか一方に半径方向に移動自在に支持されたピンと、
前記ナット部の内周部及び前記環状部材の外周部のいずれか他方に設けられ、それぞれ前記ピンが出入り自在な複数の凹部からなる発音部と、
前記ピンを前記凹部に向けて付勢する付勢部材とを有している、
リールシート。
【請求項２】
前記発音機構は、前記ナット部の前記シート本体に対する相対回転を一時的に規制して、前記ナット部の前記シート本体に対する螺合が緩むのを抑えている、請求項１に記載のリールシート。
【請求項３】
複数の前記凹部は回転方向に等間隔に形成されている、請求項１又は２に記載のリールシート。
【請求項４】
前記発音部は、複数の前記凹部を回転方向に連通する溝をさらに有している、請求項１から３のいずれかに記載のリールシート。
【請求項５】
前記発音部は、前記ナット部及び環状部材のいずれか他方と別体で形成されて固定されている、請求項１から４のいずれかに記載のリールシート。
【発明の詳細な説明】
【０００１】
【発明の属する技術分野】
本発明は、リールシート、特に、釣り用リールの取付脚を釣り竿に装着するためのリールシートに関する。
【０００２】
【従来の技術】
釣り竿には、リールを取り付けるためのナット式のリールシートが設けられている。リールシートは、一般に、シート本体と、移動シート部と、ナット部とを備えている。シート本体は、リールの取付脚の一端側を係止する係止部と、外周部に形成された雄ネジ部とを有している。移動シート部は、シート本体の外周に軸方向に移動自在に配置され、取付脚の他側を係止する係止部を有している。ナット部は、シート本体の雄ネジ部に螺合してシート本体に対して移動自在であり、移動シート部を移動させる。
【０００３】
このようなリールシートでは、リールの取付脚の一端側をシート本体の係止部に係止した状態でナット部を回転させ、移動シート部の係止部で取付脚の他端側を係止し、両係止部で取付脚を狭持する。これにより、リールがリールシートを介して釣り竿に固定される。
【０００４】
この種のリールシートには、雌雄のネジの嵌め合いをきつくすることなく取付脚を狭持するために、ナット部とシート本体との螺合が緩むのを防止する回り止め機構を備えたものがある。また、この回り止め機構は、ナット部がシート本体に対して回転する際の発音機構ともなっている。
【０００５】
この種の回り止め・発音機構は、一般的に、移動シート部とナット部との間に配置されており、回り止めピンと付勢部材とを有している。回り止めピンは移動シート部に軸方向に移動自在に支持されている。そして、ナット部の回り止めピンに対向する側面には回り止め穴が回転方向に複数形成されている。付勢部材は回り止めピンを回り止め穴に向けて付勢している。
【０００６】
この回り止め・発音機構では、ナット部を回転させると、回り止めピンがナット部の回り止め穴に対して出入りを繰り返し、回り止めピンが回り止め穴に侵入した状態で回り止め作用が得られる。また、回り止めピンが回り止め穴に対して出入りを繰り返すとき、回り止めピンが回り止め穴に衝突して発音する。
【０００７】
【発明が解決しようとする課題】
従来の回り止め・発音機構においては、回り止めピン及び付勢部材は、通常、移動シート部の１箇所にのみ配置されている。このため、ナット部は、外周部の一カ所を軸方向に押されることとなり、回転軸芯に対して傾くおそれがある。ナット部が傾くと、回り止めピンの頭部と回り止め穴の凹部の面とが一致しなくなり、回り止めのための機能が低下する。また、発音性能も劣化する。さらに、シート本体に対してねじ込んで行く場合に、スムーズにねじ込んでいくことができない。
【０００８】
そこで、ナット部が傾かないように、ナット部とこのナット部が螺合しているシート本体とのはめあい精度を高精度にする必要がある。しかし、ネジを高精度に仕上げることは製造費のコストアップを招く。
【０００９】
本発明の目的は、発音機構におけるナット部の傾きを抑えることにある。
【００１０】
【課題を解決するための手段】
発明１に係るリールシートは、釣り用リールの取付脚を釣り竿に装着するためのものであって、シート本体と、移動シート部と、ナット部と、発音機構とを備えている。
【００１１】
シート本体は、取付脚の一端側を係止するための第１係止部を有し、外周部に雄ネジ部が形成されている。移動シート部は、シート本体の外周に軸方向移動自在にかつ相対回転不能に配置されるとともに取付脚の他端側を係止するための第２係止部を有している。ナット部は、シート本体の外周に移動シート部とともに軸方向移動可能でかつシート本体に対して相対回転可能であり、雄ネジ部に螺合する雌ネジ部が形成されている。発音機構はナット部の内周側に配置されている。
【００１２】
そして発音機構は、環状部材と、ピンと、発音部と、付勢部材とを有している。環状部材は、ナット部の内周側に、ナット部に対して相対回転可能にかつシート本体に対して相対回転不能に配置されている。ピンはナット部の内周部及び環状部材の外周部のいずれか一方に半径方向に移動自在に支持されている。発音部は、ナット部の内周部及び環状部材の外周部のいずれか他方に設けられ、それぞれピンが出入り自在な複数の凹部からなる。付勢部材はピンを凹部に向けて付勢している。
【００１３】
このリールシートでは、リールの取付脚の一端側を第１係止部に係止させた状態でナット部の雌ネジ部をシート本体の雄ネジ部に螺合させ、このナット部を締め付けると、移動シート部はナット部に押されて軸方向に移動し、この移動シート部の第２係止部が取付脚の他端側と係止する。これにより、リールが釣り竿に固定される。
【００１４】
このとき、環状部材はシート本体に対して回転不能であるので、ナット部が回転すると、ナット部と環状部材とが相対回転する。すると、これらに設けられたピンと発音部とが相対回転し、ピンが複数の凹部に対して繰り返し衝突することによってクリック音が発生する。
【００１５】
ここでは、ピンは、半径方向に移動するように配置されており、このため、ナット部は、回転軸芯に対して偏芯する方向の力を受けるが、従来のように軸芯に対して傾くようなことはない。したがって、ピンと凹部とは常に同じ姿勢で嵌合することになり、回り止めのための機能低下を抑えることができる。また、発音性能の劣化も抑えることができる。さらに、ネジの螺合は自動調芯の機能も併せ持っているので、従来のようなナット部材の傾きに比較して、ピン及び付勢部材による偏芯はシート本体に対してねじ込む際の妨げになりにくい。
【００１６】
発明２に係るリールシートは、発明１のリールシートにおいて、発音機構は、ナット部のシート本体に対する相対回転を一時的に規制して、ナット部のシート本体に対する螺合が緩むのを抑えている。
【００１７】
ここでは、発音機構がナット部の緩み止めとしても機能している。
発明３に係るリールシートは、発明１又は２のリールシートにおいて、複数の凹部は回転方向に等間隔で形成されている。
【００１８】
このリールシートでは、ナット部を等角度ごとに回り止めすることができる。また、クリック音は一定のテンポで連続的に発生するため、使用者に回り止めが精密に行われているような印象を与えることができる。
【００１９】
発明４に係るリールシートは、発明１から３のいずれかリールシートにおいて、発音部は複数の凹部を回転方向に連通する溝をさらに有している。
このリールシートでは、ピンは隣接する凹部間を溝に当接して移動するため、ピンが各凹部に出入りする際の衝撃が少なくなる。このため、発音部の摩耗を抑えることができる。
【００２０】
発明５に係るリールシートは、発明１から４のいずれかのリールシートにおいて、発音部はナット部及び環状部材のいずれか他方と別体で形成されて固定されている。
【００２１】
このリールシートでは、発音部は、ナット部あるいは環状部材から独立した部材であるため、ナット部あるいは環状部材の設計事項に影響されずに設計することができ、設計の自由度が増す。
【００２２】
【発明の実施の形態】
図１に本発明の一実施形態が採用されたリールシート１を示す。
このリールシート１は、リール２の取付脚３を係止することでリール２を竿４に装着するものであり、シート本体１０と、移動シート部１１と、ナット部１２と、図２に示されるような発音及び回り止め機構（以下、単に発音機構と記す）１３とを備えている。
【００２３】
シート本体１０は、図２及び３に示されるように、樹脂製の略筒状の部材であり、内周部に竿４が貫通して装着されている。シート本体１０は、竿尻側の大径部１５と、穂先側の小径部１６とを有している。
【００２４】
大径部１５の竿尻側にはコルク製の竿尻グリップ１７が竿４の外周に嵌め込まれている。大径部１５の穂先側外周部には、リール２の取付脚３の竿尻側を載置するための載置部２１と、取付脚３の竿尻側を係止するための第１係止部２０とが形成されている。第１係止部２０は、載置部２１の竿尻側端部から上方の一部を覆うように載置部２１と一体に形成されている。大径部１５の第１係止部２０と逆側の外周部には、弾性材料からなるシートグリップ２３が固定されている。大径部１５の小径部１６に隣接する外周部には、取付脚３の穂先側を載置するための平坦な載置部２５が形成されている。載置部２５の幅方向両側には、取付脚３の幅方向の移動を規制するための１対の突起部２６，２６が載置部２５と一体に形成されている。
【００２５】
小径部１６は、外周部の一部に載置部２５からさらに穂先側に延びて小径部１６の全長にわたり形成された平坦な載置部３０と、穂先側外周部に形成された雄ネジ部３１とを有している。また、小径部１６の外周部の対向する２箇所には、移動シート部１１を回転不能にするための１対の係止溝３２，３２が小径部１６の全長にわたり形成されている。
【００２６】
移動シート部１１は、内径が小径部１６の外径より僅かに大きい筒状の部材であり、シート本体１０に対して軸方向に移動自在でかつ相対回転不能である。移動シート部１１は、竿尻側内周部に、取付脚３の穂先側を係止するための第２係止部３５が形成されている。第２係止部３５は、移動シート部１１がシート本体１０に装着されたときに、載置部３０との間に取付脚３の穂先側が挿入される空間が生じるように形成されている。また、第２係止部３５は、軸方向及び幅方向長さの異なるものが、移動シート部１１の内周部の対向する２箇所に形成されている。移動シート部１１の穂先側端部には、ナット部１２が連結されるための環状突起１１ａが形成されている（図５参照）。移動シート部１１の穂先側内周部の対向する２箇所には、１対の係止溝３２，３２に係止するための１対の係止突起３６，３６が形成されている（図３参照）。
【００２７】
ナット部１２は、略筒状の部材であり、外周にコルク製の穂先グリップ４６が嵌め込まれている。このナット部１２は、シート本体１０の外周に配置され、移動シート部１１とともに軸方向に移動自在で、かつシート本体１０に対して相対回転可能である。ナット部１２の竿尻側端部には、移動シート部１１の環状突起１１ａに係合する環状凹部４５が形成されている（図５参照）。この環状凹部４５に環状突起１１ａが圧入により係合することで、ナット部１２は、移動シート部１１に対して相対回転自在かつ軸方向相対移動不能に連結され、これにより移動シート部１１を一体で軸方向に移動させることができる。環状凹部４５の穂先側内周部には、雄ネジ部３１に螺合して移動シート部１１を移動させるための雌ネジ部４４が形成されている。
【００２８】
次に、図３から図５により発音機構１３について説明する。
発音機構１３は、ナット部１２をシート本体１０に対し所望の位置で回り止めするとともに、ナット部１２がシート本体１０に対して回転していることを使用者に知らせるためのクリック音を発生する機構である。発音機構１３は、ナット部１２の内周側に設けられており、リング４９と、音出しピン５１と、発音部５０と、コイルバネ５２とを有している。
【００２９】
リング４９は、ステンレス製の環状部材であり、ナット部１２の内周側に相対回転可能に配置されている。リング４９には、音出しピン支持穴４７が半径方向に形成されており、この音出しピン支持穴４７に音出しピン５１が移動自在に配置されている。リング４９の内周孔４１は、雄ネジ部３１の断面形状に対応する形状に形成されており、これにより、リング４９は雄ネジ部３１に対し相対回転不能となる。
【００３０】
音出しピン５１は、頭部先端が半球状の茸形の部材であり、リング４９のピン支持部４７内に頭部を発音部５０側に向けて配置されている。
コイルバネ５２は、音出しピン５１の胴部外周に配置されてピン支持部４７内に圧縮状態で配置されている。
【００３１】
発音部５０は、ナット部１２の内周部に、リング４９の外周面に対向して形成された環状部分である。発音部５０には、音出しピン５１と対向する位置に複数の音出し穴５５が回転方向に等間隔で形成されている。音出し穴５５は、球状の凹面を有しており、音出しピン５１の頭部が出入り自在になっている。隣接する音出し穴５５，５５間には、各音出し穴５５を連通する溝３９が形成されており、この溝３９の深さは音出し穴５５の深さより浅くなっている。
【００３２】
次に、リール２の装着方法について説明する。
まず、ナット部１２を緩めてシート本体１０との螺合を解除し、ナット部１２をシート本体１０の穂先側に配置する。そして、リール２の取付脚３の竿尻側を載置部２１に載置して第１係止部２０に挿入する。また、取付脚３の穂先側を載置部２５，３０に載置する。つづいて、リール２のサイズに応じた第２係止部３５（前述のように上下で適応サイズが異なる）をリール２側に配置した後、ナット部１２をシート本体１０の雄ネジ部３１に螺合させて締め付ける。これにより、移動シート部１１がシート本体１０の小径部１６の外側を竿尻側に移動する。このとき、移動シート部１１は、係止溝３２と係止突起３６とにより回転不能なため、回転せずに軸方向にのみ移動する。
【００３３】
ナット部１２の回転時には、リング４９はその内周孔４１がシート本体１１に係止しているので回転不能である。したがって、ナット部１２に形成された発音部５０とリング４９とが相対回転する。これにより、音出しピン５１が音出し穴５５に繰り返し衝突してクリック音が発生する。このとき、ナット部１２の回転を止めると、音出しピン５１が音出し穴５５のいずれかにはまりこみ、ナット部１２がシート本体１０に対して回り止めされる。
【００３４】
ここでは、音出しピン５１と発音部５０の音出し穴５５とは半径方向に対向しているため、音出しピン５１は発音部５０が形成されたナット部１２を内周側から外周側に向けて押すことになる。すなわち、ナット部１２は回転軸芯に対して偏芯するような力を受ける。従来の軸方向に移動自在な音出しピンを有する発音機構では、ナット部の１カ所が軸方向に押されるためにナット部が傾くおそれがあったが、本実施形態の構造ではそのような力は生じない。したがって、音出しピン５１と音出し穴５５とは常に同じ姿勢で互いに圧接することとなり、回り止めの機能が低下することはない。また、発音性能の劣化も防止できる。
【００３５】
また、従来の発音機構のようにナット部が傾いた場合は、シート本体とのネジの噛み合い状態が悪くなって、ねじ込みの際にスムーズな噛み合いが得られない場合がある。しかし、この実施形態では、ナット部１２は、回転軸芯に対して偏芯させられるような力を受けるだけであり、このような力は、ネジの噛み合いによる自動調芯機能によって打ち消され、したがってねじ込みの際にスムーズな噛み合いを維持できる。
【００３６】
また、音出し穴５５は等間隔で設けられているため、クリック音は一定のテンポで連続的に発生する。これにより、使用者に回り止めが精密に行われているような印象を与えることができる。
【００３７】
また、音出しピン５１は、音出し穴５５間を溝３９に案内されて移動するため、溝３９がない場合に比べて、音出しピン５１が各音出し穴５５に対し出入りする際の衝撃が少なくなる。したがって、発音部５０の摩耗を抑えることができる。
【００３８】
［他の実施形態］
（ａ）発音部５０は、ナット部１２と別体で設けられ、かつナット部１２に相対回転不能に固定されてもよい。この場合は、回り止め部５０，リング４９等の各構成部材を設計する際に、ナット部１２の仕様に影響されることなく設計することができる。また、発音機構の部材を交換する際においても他のナット部材１２等と独立して交換することができ、交換時のコストを抑えることができる。
【００３９】
（ｂ）発音機構１３は、上記実施形態とは逆に、ナット部１２の内周部に音出しピン５１及びコイルバネ５２を配置し、リング４９に音出し穴５５及び溝３９を形成してもよい。
【００４０】
【発明の効果】
以上のように本発明によれば、発音機構を構成するピンが半径方向に移動して発音部の凹部に衝突するので、ピンによって押されるナット部の傾きが防止される。
【図面の簡単な説明】
【図１】本発明の一実施形態が採用されたリールシートを示す斜視図。
【図２】その縦断面図。
【図３】その分解斜視図。
【図４】図２のＩＶ−ＩＶ断面図。
【図５】図４のＶ−Ｖ断面図。
【符号の説明】
１  リールシート
２  リール
３  取付脚
４  竿
１０  シート本体
１１  移動シート部
１２  ナット部
１３  発音機構
２０  第１係止部
３１  雄ネジ部
３５  第２係止部
３９  溝
４４  雌ネジ部
４９  リング
５０  発音部
５１  音出しピン
５２  コイルバネ
５５  音出し穴
【図１】
0004363583.tif 000002
【図２】
0004363583.tif 000003
【図３】
0004363583.tif 000004
【図４】
0004363583.tif 000005
【図５】
0004363583.tif 000006